(57)【要約】      （修正有）【課題】温泉水を入れた入浴袋に身体を入れる際、また、入浴袋に身体を入れて浴槽水に浸かる際の安定性の確保をはかり、入浴時においては、浴槽の短寸法内壁間と身体の間隙において、浮体の幅を小さくし、窮屈感を解消した温泉入浴用袋を提供する。【解決手段】風袋７の上部を折り返して溶着し、空気室３及び４を設け、それぞれの空気室に空気を入れるための空気注入弁５及び６を設けた温泉入浴用袋本体１であり、使用時において上部開口２より身体を入れる際、容易に両手で環状の空気室を持ち、且つ、肩に乗せられるように、環状の空気室の大きさについては、外径を浴槽の短寸法内壁間以下とし、内径は出来るだけ大きくするため、環状の空気室の直径を細くして、上下二段の複式空気室図３とした事により、浮体の幅を小さくしながらも、十分な浮力を確保し、また、入浴時における窮屈感を解消する。【選択図】図１
0003155604.tif 000002
【実用新案登録請求の範囲】
【請求項１】
塩化ビニール又はポリエチレン素材で製作した袋の上部を全周にわたり外方向に折り返し、袋の外周に一致させ、この折り返した先端部を全周溶着し、空気室を設ける。この空気室に空気を注入する事により、袋の上部が浴槽水面に浮き、尚且つ袋の上部が環状に形成され、袋の内部に身体を入れ易くする。また、前記空気室を等分し、上下二段の複式空気室としたところを特徴とする温泉入浴用袋。
【考案の詳細な説明】
【技術分野】
【０００１】  本考案は、自宅で温泉入浴の出来る上下二段の複式空気室を備えた、入浴袋に関するものである。
【背景技術】
【０００２】  家庭の浴槽で温泉水を使用した場合、温泉水に含まれる成分により風呂釜などの金属が腐食するなどの問題があった。そのため従来から塩化ビニール又はポリエチレン素材を袋状にし、この入浴袋を浴槽水に浮かべて、その中に温泉水を入れて入浴するものはあったが、この従来からの入浴袋にあっては風袋を浴槽水に浮かべる環状の空気室が浴槽の短寸法内壁間より大きく、使用時においては短寸法内壁間に弾性変形した環状の空気室が、浴槽壁にとどまった状態で入浴袋に身体を入れるようにしていた。このため浴槽内壁間が狭められ、入浴時や袋の内部に身体を入れる際、窮屈であり、また袋の最下部に足を付けるのが困難であり安定性に欠けるという問題があった。
【先行技術文献】
【特許文献】
【０００３】
【特許文献１】  登録実用新案第３０２１０５２号  広報
【考案の概要】
【考案が解決しようとする課題】
【０００４】  本考案は、温泉水を入れた入浴袋に身体を入れる際、両手にて環状の空気室を持ち、胸又は肩まで引き上げながら袋の最下部に立ってからしゃがむ動作を容易にし、その際、環状の空気室を肩に乗せる事によって、両手が自由に使えて、バランスを取るのが容易になり、入浴袋に身体を入れて浴槽水に浸かる際の安定性を確保し、また、環状の空気室断面直径を小さくする事によって浴槽の短寸法内壁間と身体の隙間において、窮屈にならず前述の欠点を解決しようとするものである。
【課題を解決するための手段】
【０００５】  本考案は、この課題を解決するために塩化ビニール又はポリエチレン素材で製作した袋の上部を全周にわたり外方向に折り返し、袋の外周に一致させ、この折り返した先端部を全周溶着し空気室を設け、この空気室に空気を注入する事により袋の上部が浴槽水面に浮き、尚且つ袋の上部が環状に形成され、袋の内部に身体を入れ易くする。また、温泉水を入れた該入浴袋に身体を入れる際に容易に両手で環状の空気室を持ち、且つ肩に乗せられるように、大きさについては、外径が浴槽の短寸法内壁間以下とするが、内径は出来るだけ大きい方が望ましい。従って、浴槽の短寸法内壁間において、環状の空気室の内径を出来るだけ大きくするために環状の空気室の直径が細くなる様、前記空気室を等分し、上下二段の複式空気室とした。また、この複式空気室により、浴槽水との隔壁にあたる空気室が水面より一段と高くなり、浴槽水が容易に袋の内部へ浸入するのを防止する。
【考案の効果】
【０００６】  上述の様に、本考案の温泉入浴用袋は短寸法内壁間と体との限られた間隙において浮体である環状の空気室の幅を細くするため、上下二段の複式空気室とした。これにより、使用時における浮体である環状の空気室による圧迫感を減少させ、また、複式空気室のため充分な浮力を有し、浴槽水との隔壁にあたる空気室が水面より一段と高く形成されているため、浴槽水が容易に袋の内部へ浸入するのを防止すると共に、入浴時に頭や肩を持たれ掛けて、楽な姿勢で使用できる利点を有する。
【図面の簡単な説明】
【０００７】
【図１】本考案の温泉入浴用袋の一実施例を示す鳥瞰図である。
【図２】本考案の温泉入浴用袋の正面図である。
【図３】本考案の温泉入浴用袋の空気室の断面拡大図である。
【考案を実施するための最良の形態】
【０００８】  本考案の入浴袋は、塩化ビニール又はポリエチレン素材で製作した袋の上部を全周にわたり外方向に折り返し、袋の外周に一致させ、この折り返した先端部を全周溶着し空気室を設ける。この空気室に空気を注入する事により袋の上部が浴槽水面に浮き、尚且つ、袋の上部が環状に形成された袋体であり、タテ方向の長さは入浴者の足から胸までの長さに形成されている。また、この袋の上部を折り返して溶着し、空気室を設ける際、上下二段の複式空気室になる様、この空気室を等分する。これにより浮体である環状の空気室の断面が数字の８型に形成され、環状の空気室の横幅が減少できる。
【実施例】
【０００９】  以下、本考案を図１、図２及び図３に示す一実施例に基づいて説明する。
図１は入浴袋の鳥瞰図であり、図２は入浴袋の正面図である。図３は空気室３及び空気室４の断面図を拡大したものである。１は塩化ビニール又はポリエチレン素材にて形成された温泉入浴用袋本体で、袋体上部を全周にわたり外方向に折り返し、袋の外周に一致させこの折り返した先端部を全周溶着し空気室を設け、これを等分し、空気室３及び空気室４を形成する。この空気室３及び４に在ってはそれぞれ独立した空気室を形成しているため空気入用の弁５及び６を有する。７はこの入浴袋の袋体部分であり、長さは入浴者の足から胸までの長さを有する。また、空気室３及び４の外径寸法は、浴槽の短寸法内壁間以下に設定されている。このため通常ならば空気室３及び４の内径寸法を広げる事は困難を要するが、図３に示す上下二段の複式空気室の採用により、前記空気室３及び４の直径を細くする事が可能になり、前記内径寸法の拡大が可能になるとともに、充分な浮力も確保できた。【００１０】  ２は入浴袋の開口であって、環状の空気室３及び４を持ち上げながら両足を開口２より入れ、空気室３及び４を胸元まで引き上げ、袋体７の最下部に立ってからしゃがむ動作に移る。この時、環状の空気室を肩に乗せる事も出来るので両手でバランスを取る事が容易となり、安心して入浴できる。
【符号の説明】
【００１１】        １  温泉入浴用袋本体
２  上部開口
３  上部空気室
４  下部空気室
５  上部空気室用空気注入弁
６  下部空気室用空気注入弁
７  袋体
【図１】
0003155604.tif 000003
【図２】
0003155604.tif 000004
【図３】
0003155604.tif 000005
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
塩化ビニール又はポリエチレン素材で製作した袋の上部を全周にわたり外方向に折り返し、袋の外周に一致させ、この折り返した先端部を全周溶着し、空気室を設け、この空気室に空気を注入する事により、袋の上部が浴槽水面に浮き、尚且つ袋の上部が環状に形成することを特徴とする温泉入浴用袋。
【請求項２】
前記袋体の空気室を等分し、上下二段の複式空気室としたところを特徴とする請求項１記載の温泉入浴用袋。